(57)【要約】【課題】照明灯とマイナスイオン発生機を一体化でき、かつ空気の流れを作ってマイナスイオンを強制的に放散させて部屋の隅々にまで届くようにする空気浄化照明具を提供する。【解決手段】内部が貫通空間の筒形突出部をもつ凸面形状で、その内側には筒形突出部を抜ける空気流を作るファンが設置され、その外側には筒形突出部を取囲むように複数個の電球ソケットが設置された固定板と、筒形突出部と電球ソケットに対応した位置に開口部が形成され、筒形突出部の先端で固定板を外側から覆うように接合される反射板とからなり、電球ソケットにマイナスイオン発生機と照明灯、好ましくはマイナスイオン発生機能付き照明灯が取付けられて、マイナスイオンが空気流に搬送されるように構成されている。【選択図】  図１
0003125833.tif 000002
【実用新案登録請求の範囲】
【請求項１】
内部が貫通空間の筒形突出部をもつ凸面形状で、その内側には前記筒形突出部を抜ける空気流を作るファンが設置され、その外側には前記筒形突出部を取囲むように複数個の電球ソケットが設置された固定板と、前記筒形突出部と前記電球ソケットに対応した位置に開口部が形成され、前記筒形突出部の先端で前記固定板を外側から覆うように接合される反射板とからなり、前記電球ソケットにマイナスイオン発生機と照明灯がそれぞれ少なくとも１つ取付けられて、前記マイナスイオン発生機からのマイナスイオンが前記空気流に搬送されるように構成されることを特徴とする空気浄化照明具。
【請求項２】
前記マイナスイオン発生機と前記照明灯が、一体化されてマイナスイオン発生機能付き照明灯であることを特徴とする請求項１に記載の空気浄化照明具。
【請求項３】
前記筒形突出部に対応した位置にある前記開口部には、ルーバーが設置されていることを特徴とする請求項１に記載の空気浄化照明具。
【考案の詳細な説明】
【技術分野】
【０００１】
本考案は、空気浄化照明具に係り、より詳細にはマイナスイオン発生機と照明灯が装備され、発生したマイナスイオンが空気流に搬送されて部屋の隅々にまで行き届いて居住空間を快適にすることができる空気浄化照明具に関するものである。
【背景技術】
【０００２】
森林、渓流、滝など水の豊富な地域は、空気がすがすがしくおいしく感じられ、精神的にも肉体的にも癒されるが、これは空気中マイナスイオンが多くあることによるとされている。一方、プラスイオンは人の自律神経を刺激し、内分泌系や免疫、体液の循環作用を低下させるなど、健康を阻害する方向に作用する。近年、都市部の空気は、車や工場の排気ガスによる汚れ、また電磁波の氾濫などによりプラスイオンが増加して住環境を悪くしている。
【０００３】
このような見地から、我々の生活空間にあるプラスイオンを中和し、さらにマイナスイオンを増やす各種のマイナスイオン発生装置が実用化されている。マイナスイオン発生装置は、独立した装置で部屋の一部に設置するものが多いが、最近では照明機器との組み合わせで占有スペースを少なくした装置が提案されている。例えば、複数本の蛍光管の中央位置にマイナスイオン発生部を設けてマイナスイオン発生装置と一体化させて照明灯にマイナスイオン発生機能を付与した照明器具〔特許文献１〜４参照〕、太陽電池を用いて外部から電源供給がなくてもマイナスイオンを発生する電灯笠〔特許文献５参照〕、マイナスイオン発生器付き照明スタンド〔特許文献６参照〕、ダウンライトにマイナスイオン放出装置を組み込んだマイナスイオン発生器付きダウンライト〔特許文献７参照〕、マイナスイオン発生装置付き照明用スタンド〔特許文献８参照〕など照明器具とマイナスイオン発生機を組み合わせたものなどがある。
【０００４】
【特許文献１】特開２００３−１５１３４４号公報
【特許文献２】特開２００６−９２９３９号公報
【特許文献３】実用新案登録３１２００６９号公報
【特許文献４】実用新案登録３１１２４３５号公報
【特許文献５】特開２００５−０４４７６８号公報
【特許文献６】特開２００３−００７１３２号公報
【特許文献７】実用新案登録３１０３３１２号公報
【特許文献８】実用新案登録３０８８６４０号公報
【考案の開示】
【考案が解決しようとする課題】
【０００５】
マイナスイオン発生機は上記したように種々の形態のものがあるが、照明器具との組み合わせは、占有スペースを小さくする上で有利であるが、発生したマイナスイオンの拡散の点で充分とはいえない。特に、上記の照明灯にマイナスイオン発生機能を付与した形態は、マイナスイオンが天井から放散されるので障害物がなく行きわたらせることができる有利性があるが、マイナスイオンを強制的に拡散させるものではないので、部屋の隅々にまで及ばないという問題がある。
かかる問題点に鑑み、本考案の目的は照明灯とマイナスイオン発生機を一体化でき、しかも空気の流れを作ってマイナスイオンを強制的に放散させて部屋の隅々にまで届くようにする空気浄化照明具を提供することである。
【課題を解決するための手段】
【０００６】
上記目的を達成すべく、本考案の空気浄化照明具は、内部が貫通空間の筒形突出部をもつ凸面形状で、その内側には筒形突出部を抜ける空気流を作るファンが設置され、その外側には筒形突出部を取囲むように複数個の電球ソケットが設置された固定板と、筒形突出部と電球ソケットに対応した位置に開口部が形成され、筒形突出部の先端で固定板を外側から覆うように接合される反射板とからなり、電球ソケットにマイナスイオン発生機と照明灯がそれぞれ少なくとも１つ取付けられて、マイナスイオンが空気流に搬送されるように構成されている。
【０００７】
この空気浄化照明具では、マイナスイオン発生機と照明灯が一体化されてマイナスイオン発生機能付き照明灯で、筒形突出部に対応した位置にある反射板の開口部にルーバーが設置されていることが好ましい。
【考案の効果】
【０００８】
本考案の空気浄化照明具は、発生したマイナスイオンが空気流に乗って効率よく部屋内に拡散され、マイナスイオンの効果を一段と高めることができ、照明器具と一体になっているので専用スペースを要せず、しかも照明灯の電源と連動しているので操作が簡単である。
【考案を実施するための最良の形態】
【０００９】
本考案の空気浄化照明具は、内部が貫通した筒形突出部をもつ凸面形状の固定板と、固定板を外側から覆うように固定される反射板からなって、固定板の内側にはファンが、外側には筒形突出部を取囲むように複数個の電球ソケットが設置され、反射板には筒形突出部と電球ソケットのそれぞれに対応した位置に開口部が形成されている。固定板と反射板は、筒形突出部の先端部で互いに接合される。この構成により電球ソケットにはマイナスイオン発生機と照明灯のそれぞれが少なくとも１つ取付けられ、電源が入ると照明器具となるとともに、発生したマイナスイオンが空気流に搬送されて空間に放出されるようになる。
【００１０】
固定板は、凸面形状で、中心部に筒形突出部が形成されている。凸面形状は、曲線形状でも角のある形状でもよいが、内部にファンが収納できる空間を作るようにする。また、固定板の略中心部には、筒形突出部の断面形状に合わせて穴が形成され、その位置に凸面形状から突出るように筒形突出部が溶接などの手段で設けられる。固定板の大きさは、任意に決められるべきものであるが、代表的には５０〜８０ｃｍでる。筒形突出部は、突出長さは５〜１０ｃｍであり、断面は如何なる形状でもよいが、直径が８〜１５ｃｍ程度で内部が貫通空間となっており、固定板に形成された穴と連通させる。
【００１１】
凸面形状の内側には、筒形突出部と連通する穴の位置にファンが設置される。ファンは、周辺の空気を取り入れて空気の流れを作ることができれば如何なる型のものでもよいが、小型で風量が大きく、かつ騒音がないものが好ましく、扁平形状のＡＣファンが適している。これにより、筒形突出部を貫通する空気の流れができる。
【００１２】
また、固定板の外側には、筒形突出部を取り囲むように電球ソケットが複数個、代表的には３〜８個設置される。
【００１３】
固定版の材料は、本考案では特に限定するものではないが、反射板、ファン、電球ソケット、さらにマイナスイオン発生機、照明灯を保持するので強度が高く、長期使用に耐えるものがよく、鉄などの金属材料が適している。固定板の天井への取付けは、固定板の縁部と天井面とを複数、代表的には２〜６個のＬ型金具で固定される。このとき、固定板の縁部が天井面から１〜３ｃｍ程度離して設置され、その隙間を通してファンへの空気流入を行えるようにする。
【００１４】
反射板は、筒形突出部と電球ソケットのそれぞれに対応した位置に開口部が形成されており、固定板を外側から覆うように固定される。従って反射板は、固定板を覆って見た目によい曲線形状、角のある形状などで、かつ光の反射がよい白を基調とした色で使用される。反射板の大きさは、上記したように固定板を外側から覆う大きさであり、従って固定板より直径が５〜２０ｃｍ大きくする。反射板の材料は、本考案では特に限定するものではないが、金属、セラミック、プラスチックなどが適している。
【００１５】
反射板と固定板との接合は、反射板の開口部に固定板の筒形突出部を挿入して離脱できないようにされればよく、例えば、筒形突出部の先端外周と反射板とをＬ型金具で固定する方法、筒形突出部を反射板の開口部に挿入した後に筒形突出部からピンを通す方法などがある。
【００１６】
固定板が天井に固定され、反射板が固定板に接合されてから、電球ソケットにマイナスイオン発生機および照明灯（蛍光灯など）、あるいはマイナスイオン発生機と照明灯が互いに一体化されたマイナスイオン発生機能付き照明灯が取付けられる。本考案の空気浄化照明具では、マイナスイオン発生機、照明灯、マイナスイオン発生機能付き照明灯は通常の電球ソケットに対応して取付けできるものが選ばれる。具体的に述べれば、照明灯機能のないマイナスイオン発生機では、例えば、「ＴＩＧ−１００Ａ」（商品型番）が市販〔東芝（株）製〕されており、通常の照明灯と組合わせて使用される。マイナスイオン発生機能付き照明灯は、特許文献１〜４で提案された形態のものが使用でき、例えば「イオンライト」（商標名）が市販〔製造：（株）イオンライト、日本輸入販売：（株）アドメイン〕されており、本考案では好ましく使用できる。
【００１７】
固定板の筒形突出部の先端、すなわち反射板から空気流の出口部分にはルーバーが取り付けられ、空気の流れが出口部分から外側に拡散して周囲のマイナスイオン発生機から放出されたマイナスイオンを搬送し易くするようにするのが好ましい。
【００１８】
以上の構成により、電源が入れられると照明灯で周囲を明るくするとともに、マイナスイオン発生機、またはマイナスイオン発生機能付き照明灯からマイナスイオンが発生して放出される。同時にファンが回転して筒形突出部の先端から出る空気の流れができて、
マイナスイオンは空気の流れに搬送されて周囲を広く行き届くようになる。
【００１９】
本考案の空気浄化照明具では、装備された電球ソケットにマイナスイオン発生機および通常の照明灯、またはマイナスイオン発生機能付き照明灯を適宜組合わせて使用する。小さい部屋であれば一基の空気浄化照明具で充分であるが、部屋の大きさや形などにより複数基設置することがあり、使用者の必要により任意に決められるべきものである。
【００２０】
以下、本考案の空気浄化照明具を、実施の形態により説明する。以下に述べる実施の形態はあくまで説明のためであり、これにより本考案は限定されるものではない。
【００２１】
図１には本考案の空気浄化照明具の断面図、図２にはその平面図（天井に設置したとき、下から見た面に相当）、図３には固定板を天井に取付けた状態の平面図（下から見た面に相当）を示す。空気浄化照明具１は固定板２、ファン５、電球ソケット６、反射板９、マイナスイオン発生機能付き照明灯（マイナスイオン発生機、照明灯）１４を主要構成としている。
【００２２】
固定板２は、凸面形状で、中心部に筒形突出部３が形成されている。固定板２の内側には、筒形突出部３の位置にファン５が設置され、ファン５による空気流が、筒形突出部３の貫通空間４を通って外にでるようになり、固定板２の外側には、筒形突出部３を取囲むように電球ソケット６が複数個（図では６個）設置される。固定板２は、この実施の形態では天井１５に複数個（図では４個）のＬ型金具７で固定されるが、このとき固定板２の端部と天井１５との間に隙間８を作りファン５への空気供給口となる。
【００２３】
反射板９は、中心部に筒形突出部３の位置に開口部１０と、電球ソケット６の位置に開口部１１がそれぞれ形成され、開口部１０で筒形突出部３の端部とＬ型金具１２で接合されている。開口部１０と筒形突出部３の端部とのＬ型金具１２での接合は、反射板９を取り外しできるようにネジなどを用いる。また、開口部１０には、空気流を拡散させるためにルーバー１３が設置される。
【００２４】
反射板９が固定板２に接合されてから、開口部１１を通して電球ソケット６にマイナスイオン発生機能付き照明灯（マイナスイオン発生機能付き照明灯の代りに、マイナスイオン発生機と通常の照明灯であってもよい。）１４が挿入されて使用の態勢が出来上がる。
【００２５】
以上の形態により、マイナスイオン発生機から発生したマイナスイオンは、その近くを流れる空気に搬送されて部屋内に拡散していくことになる。
【産業上の利用可能性】
【００２６】
市販の電球ソケットに対応して使用できるマイナスイオン発生機と通常の照明灯が自由に選択でき、マイナスイオンの拡散がよいので部屋中にマイナスイオンを届けることができ、しかも通常の照明器具を兼ねるので特別のスペースを要しない。室内を快適にし、作業能率を上げる上にも効果があり、生活空間の浄化に適している。居間、事務所、病室、病院の待合室など適用範囲は広い。
【図面の簡単な説明】
【００２７】
【図１】本考案の空気浄化照明具の断面図を示す。
【図２】本考案の空気浄化照明具の平面図（天井に設置したとき、下から見た面に相当）を示す。
【図３】固定板を天井に取付けた状態の平面図（下から見た面に相当）を示す。
【符号の説明】
【００２８】
１：空気浄化照明具
２：固定板
３：筒形突出部
４：（筒形突出部の）貫通空間
５：ファン
６：電球ソケット
７：（固定板を天井に固定する）Ｌ型金具
８：（固定板端部と天井との間の）隙間
９：反射板
１０：（筒形突出部の位置にくる反射板の）開口部
１１：（電球ソケット６の位置にくる反射板の）開口部
１２：（反射板の開口部と筒形突出部端部とを接合する）Ｌ型金具
１３：ルーバー
１４：マイナスイオン発生機能付き照明灯（マイナスイオン発生機、照明灯）
１５：天井
【図１】
0003125833.tif 000003
【図２】
0003125833.tif 000004
【図３】
0003125833.tif 000005